(57)【要約】【課題】消費電力を増大することなく、様々なデータに適した画質の向上を図ることが可能な携帯端末を提供することを目的とする。【解決手段】ベースバンド部１０３は、受信したデータの受信周波数を検出し、その受信周波数の違いからデータの内容を判定する。検出された受信周波数はクロック周波数供給部１０４に入力され、ここで表示部１０６のクロック周波数Ｆｃが決定される。一方、ベースバンド部１０３の制御により表示制御部１０５が表示部１０６の水平又は垂直周波数を変更することで、表示部１０６の表示モードが低解像度モードや高解像度モードに変更される。【選択図】　図１
2004088489.tif 000002
【特許請求の範囲】
【請求項１】
表示手段に表示されるデータに応じて前記表示手段の表示画面周波数を制御する表示画面周波数制御手段を備えることを特徴とする携帯端末。
【請求項２】
前記表示手段に表示されるデータが、外部から送信されてくるデータであって、
前記表示画面周波数制御手段は、前記データの受信周波数に基づいて前記表示画面周波数を制御することを特徴とする請求項１記載の携帯端末。
【請求項３】
前記表示画面周波数制御手段は、前記データに含まれる拡張子に基づいて前記表示画面周波数を制御することを特徴とする請求項１又は請求項２記載の携帯端末。
【請求項４】
前記表示画面周波数制御手段は、前記データの平均映像レベルに基づいて前記表示画面周波数を制御することを特徴とする請求項１乃至請求項３のいずれか記載の携帯端末。
【請求項５】
前記表示画面周波数の制御を手動により指示する為の表示画面周波数制御指示手段を備えることを特徴とする請求項１乃至請求項４のいずれか記載の携帯端末。
【発明の詳細な説明】
【０００１】
【発明の属する技術分野】
本発明は、文字データ及び画像データを表示可能な携帯端末に関する。
【０００２】
【従来の技術】
現在普及している第二世代携帯電話機等の携帯端末の表示装置は、カラーやモノクロ画面を問わず、その表示能力（表示ドット数や表示周波数等）は、その携帯端末固有のものである。即ち、表示装置に表示されるデータの内容に関わらず、携帯端末の表示装置の表示能力は固定されている。
【０００３】
【発明が解決しようとする課題】
近年開発が盛んな、高速且つ大容量データの通信が可能な第三世代携帯電話機等の携帯端末は、マルチメディア携帯端末として大いに普及が予想されており、これらの携帯端末の表示装置は、文字データのみならず、静止画や動画等の映像データを表示する機会が増えると考えられる。この為、こういった映像データに適した画質の向上（高解像度化やフリッカの防止等）が求められている。
【０００４】
そこで、表示装置の表示周波数（クロック周波数や水平及び垂直周波数等）を増加させることで、高解像度化を実現したりフリッカを防止したりすることができる。しかしながら、このように解像度を上げてしまうと、表示装置が文字データを表示する場合、文字データは高解像度を必要としない為、必要以上の高解像度で文字データを表示し続けることにより、かえって消費電力が増大してしまう。したがって、携帯端末の待ち受け時間の低下を引き起こしてしまうという問題点があった。
【０００５】
本発明は、上記問題点に鑑みて為されたものであって、消費電力を増大することなく、様々なデータに適した画質の向上を図ることが可能な携帯端末を提供することを目的とする。
【０００６】
【課題を解決するための手段】
本発明の携帯端末は、表示手段に表示されるデータに応じて前記表示手段の表示画面周波数を制御する表示画面周波数制御手段を備えることを特徴とする。
【０００７】
この構成により、データに応じて表示画面周波数を変更することで、最適な画質でデータを表示することができ、消費電力の増大を防ぐことが可能となる。
【０００８】
又、本発明の携帯端末は、前記表示手段に表示されるデータが、外部から送信されてくるデータであって、前記表示画面周波数制御手段が、前記データの受信周波数に基づいて前記表示画面周波数を制御することを特徴とする。
【０００９】
この構成により、データに応じて表示画面周波数を変更することで、最適な画質でデータを表示することができ、消費電力の増大を防ぐことが可能となる。
【００１０】
又、本発明の携帯端末は、前記表示画面周波数制御手段が、前記データに含まれる拡張子に基づいて前記表示画面周波数を制御することを特徴とする。
【００１１】
この構成により、データに応じて表示画面周波数を変更することで、最適な画質でデータを表示することができ、消費電力の増大を防ぐことが可能となる。
【００１２】
又、本発明の携帯端末は、前記表示画面周波数制御手段が、前記データの平均映像レベルに基づいて前記表示画面周波数を制御することを特徴とする。
【００１３】
この構成により、データに応じて表示画面周波数を変更することで、最適な画質でデータを表示することができ、消費電力の増大を防ぐことが可能となる。
【００１４】
又、本発明の携帯端末は、前記表示画面周波数の制御を手動により指示する為の表示画面周波数制御指示手段を備えることを特徴とする請求項１乃至請求項５のいずれか記載の携帯端末。
【００１５】
この構成により、手動により任意に表示画面周波数の変更を行うことが可能となる。
【００１６】
又、本発明の携帯端末は、請求項１記載の携帯端末を少なくとも２つ用いて互いにデータの送受信を行う場合において、前記データの受信側の携帯端末は、前記データの送信側の携帯端末の前記表示画面周波数制御手段によって予め設定された表示画面周波数で、受信したデータを表示することを特徴とする。
【００１７】
この構成により、データ受信側の携帯端末は、データ送信側の携帯端末によって設定された表示画面周波数によって受信したデータを表示することで、最適な画質でデータを表示することができ、消費電力の増大を防ぐことが可能となる。
【００１８】
【発明の実施の形態】
以下、本発明の実施形態について図面を参照して説明する。
（第一実施形態）
図１は、本発明の第一実施形態に係る携帯電話機の内部構成を示すブロック図である。尚、本実施形態に係る携帯電話機は、例えば、ＧＳＭ９００ＭＨｚ帯や１８００ＭＨｚ帯又はＷ−ＣＤＭＡ２ＧＨｚ帯の帯域で使用可能なデュアルバンド対応で、高速且つ大容量のデータ通信が可能な携帯電話機である。
【００１９】
図１に示したように、携帯電話機１００は、アンテナ１０１、無線送受信部１０２、ベースバンド部１０３、クロック周波数供給部１０４、表示制御部１０５、及び表示部１０６を備える。尚、ベースバンド部１０３、クロック周波数供給部１０４、及び表示制御部１０５は特許請求の範囲の表示画面周波数制御手段に該当する。
【００２０】
無線送受信部１０２は、文字データ、静止画データ、及び動画データ等のデータをアンテナ１０１を介して送受信する。ベースバンド部１０３は、無線送受信部１０２で受信したデータの復調又は復号化を行う。又、無線送受信部１０２で受信したデータの受信周波数を検出し、その検出結果に基づいて表示制御部１０５を制御する。
【００２１】
クロック周波数供給部１０４は、ベースバンド部１０３で検出された受信周波数を分周して安定化し、表示制御部１０５にクロック周波数Ｆｃとして供給する。
【００２２】
表示制御部１０５は、ベースバンド部１０３で復調又は復号化されたデータを、供給されるクロック周波数Ｆｃに基づいて表示部１０６に表示させる。又、表示制御部１０５は、ベースバンド部１０３の制御により、表示部１０６に表示させるデータの表示能力を変更する。
【００２３】
表示制御部１０５は、クロック周波数（Ｆｃ）、水平周波数（Ｆｈ）、及び垂直周波数（Ｆｖ）等の表示画面周波数や、水平ブランキング時間（Ｔｈｂｌｋ）及び垂直ブランキング時間（Ｔｖｂｌｋ）等を変更して、表示部１０６の表示能力（解像度等）を決定する。
【００２４】
表示部１０６は、液晶や有機ＥＬ等のディスプレイで構成され、ディスプレイ上の全画面の表示周波数が表示制御部１０５によって変更されることで、全画面の画質が変更される。
【００２５】
表示部１０６の画質（解像度等）を決定する数値である水平表示ドット数及び垂直表示ライン数は以下のように求められる。
水平表示ドット数＝（Ｔｈ−Ｔｈｂｌｋ）／Ｔｃ・・・・（１）
垂直表示ライン数＝（Ｔｖ−Ｔｖｂｌｋ）／Ｔｈ・・・・（２）
ここで、Ｔｃ：クロック周期（１／Ｆｃ）、Ｔｈ：水平周期（１／Ｆｈ）、Ｔｖ：垂直周期（１／Ｆｖ）である。
【００２６】
図２は、水平又は垂直ビデオ信号のクロックタイミングを示す図である。
同図に示したように、水平周期又は垂直周期の始まりからの一定のブランクの時間が水平ブランキング時間又は垂直ブランキング時間である。
【００２７】
上記の式（１）及び（２）において、クロック周波数Ｆｃのみを上げると、水平表示ドット数が増加する。又、クロック周波数Ｆｃと水平周波数Ｆｈを同一比率で上げると（このとき垂直周波数は固定）、垂直表示ライン数が増加する。又、クロック周波数Ｆｃを上げて垂直周波数Ｆｖを下げると（このとき水平周波数は固定）、水平表示ドット数及び垂直表示ライン数が共に増加する。
【００２８】
例えば、ベースバンド部１０３で検出された受信周波数がＧＳＭ９００ＭＨｚ帯であった場合、クロック周波数供給部１０４から表示制御部１０５に供給されるクロック周波数Ｆｃは、Ｗ−ＣＤＭＡ２ＧＨｚ帯の場合に比べて低くなる。この為、水平表示ドット数も減少し、表示部１０６の表示モードは低解像度モード（例えばＱＣＩＦモード：１７６×１４４ドット）となる。ＧＳＭのアプリケーションサービス（例えば、ＷＡＰ等）は文字情報が中心となっている為、このように解像度が低くても実用上問題はない。
【００２９】
一方、ベースバンド部１０３で検出された受信周波数がＷ−ＣＤＭＡ２ＧＨｚ帯であった場合、クロック周波数供給部１０４から表示制御部１０５に供給されるクロック周波数ＦｃはＧＳＭ９００ＭＨｚ帯のときよりも高くなる。この為、水平表示ドット数も増加し、表示部１０６の表示モードは高解像度モード（例えばＶＧＡモード：６４０×４８０ドット）となる。Ｗ−ＣＤＭＡのサービスでは、アプリケーションサービスに静止画や動画等の映像データが多く使用されると考えられる為、高解像度モードで映像データを表示することで、最適な画質でデータを表示することができる。
【００３０】
又、ベースバンド部１０３は、検出した受信周波数がＷ−ＣＤＭＡ２ＧＨｚ帯であった場合、垂直周波数Ｆｖを高くするように表示制御部１０５を制御することで、表示部１０６におけるフリッカを抑えることもできる。
【００３１】
尚、上記では、受信周波数の違いに基づいて表示部１０６の表示モードを変更する構成としたが、無線送受信部１０２で受信したデータのファイル形式を示す拡張子（ＢＭＰ、ＪＰＥＧ、ＭＰＥＧ等）に基づいて表示モードを変更する構成にしても良い。
【００３２】
この場合は、クロック周波数供給部１０４を携帯電話機１００の構成から外し、ベースバンド部１０３が、無線送受信部１０２で受信したデータのファイル形式を示す拡張子に基づいてデータの内容を判定する。そして、判定したデータの内容に応じて、表示制御部１０５を制御する。
【００３３】
例えば、べースバンド部１０３により検出されたデータのファイル形式を示す拡張子がＪＰＥＧやＭＰＥＧ等の映像データを示す拡張子であった場合、ベースバンド部１０３は、表示部１０６の表示モードが高解像度モードになるように表示制御部１０５を制御し、表示制御部１０５はクロック周波数Ｆｃ、水平周波数Ｆｈ、及び垂直周波数Ｆｖを変更する。
【００３４】
一方、ベースバンド部１０３により検出されたデータのファイル形式を示す拡張子が文字データを示す拡張子であった場合、ベースバンド部１０３は、表示部１０６の表示モードが低解像度モードとなるように表示制御部１０５を制御し、表示制御部１０５はクロック周波数Ｆｃ、水平周波数Ｆｈ、及び垂直周波数Ｆｖを変更する。
【００３５】
このように、受信したデータの種類に応じて、表示部１０６の表示モードを変更することができる為、携帯電話機の使用者は、様々なデータに適した表示モードでデータを閲覧することができる。
【００３６】
以上のように、本実施形態によれば、受信したデータの受信周波数の違い又は識別子の違いに基づいてデータの内容を判定し、そのデータの内容に応じた表示モードでデータを表示することができる。この為、文字データの場合は低解像度モードにし、映像データの場合は高解像度モードにすることで、文字データに対して高解像度モードで表示することがなくなり、消費電力の増大を防ぐことができる。又、映像データに対して低解像モードで表示することがなくなり、映像データを高画質で表示させることができる。
【００３７】
（第二実施形態）
図３は、本発明の第二実施形態に係る携帯電話機の内部構成を示すブロック図である。尚、図１と同様の構成には同一符号を付して説明を省略する。
図３に示したように携帯電話機３００は、アンテナ１０１、無線送受信部１０２、ベースバンド部３０３、ＡＰＬ判別部３０４、表示制御部３０５、及び表示部１０６を備える。
【００３８】
ベースバンド部３０３は、無線送受信部１０２で受信したデータの復調又は復号化を行い、復調又は復号化したデータをＡＰＬ判別部３０４及び表示制御部３０５に入力する。
【００３９】
ＡＰＬ判別部３０４は、ベースバンド部３０３から入力されたデータの内容を判別する。具体的には、ＡＰＬ（平均映像レベル）として白レベルの多い映像系データと黒レベルの多い文字情報系データ（背景が黒の場合）とをＡＰＬのしきい値との比較により２値（白か黒か）で判別する。
【００４０】
表示制御部３０５は、ＡＰＬ判別部３０４の判別結果に基づいて表示部１０６の表示モードを変更する。例えばＡＰＬ判別部３０４の判別の結果、受信したデータが映像系データ（白）であった場合は、第一実施形態の表示制御部１０５と同様に、表示モードを高解像モードに変更する。又、受信したデータが文字情報系データ（黒）であった場合は、表示モードを低解像度モードに変更する。
【００４１】
以上のように、本実施形態によれば、受信したデータの内容をそのデータのＡＰＬによって判別し、判別結果に応じて表示部１０６の表示モードを変更する為、第一実施形態と同様の効果が得られる。
【００４２】
（第三実施形態）
図４は、本発明の第三実施形態に係る携帯電話機の内部構成を示すブロック図である。尚、図１と同様の構成には同一符号を付して説明を省略する。
同図に示したように、携帯電話機４００は、アンテナ１０１、無線送受信部１０２、ベースバンド部４０３、表示制御部４０５、表示部１０６、及び表示モード変更指示スイッチ４０７を備える。尚、表示モード変更指示スイッチ４０７は特許請求の範囲の表示画面周波数制御指示手段に該当する。
【００４３】
ベースバンド部４０３は、無線送受信部１０２で受信したデータの復調又は復号化を行い、復調又は復号化したデータを表示制御部４０５に入力する。又、表示モード変更指示スイッチ４０７からの指示に基づいて表示制御部４０５を制御する。
【００４４】
表示制御部４０５は、ベースバンド部４０３の制御により、第一実施形態の表示制御部１０５と同様に、表示部１０６の表示モードを変更する。
【００４５】
表示モード変更指示スイッチ４０７は、携帯電話機４００の使用者が、表示モードの変更指示をベースバンド部４０３に対してマニュアル操作で行う為のスイッチである。尚、このスイッチは、携帯電話機４００に設けられる各種操作スイッチと兼用しても良い。
【００４６】
例えば、使用者が映像データをインターネット等のネットワークを介して携帯電話機４００にダウンロードしている場合には、表示部１０６に表示モード変更コマンドを表示させる。そして使用者が、ダウンロード中のデータが映像データか文字データかを判断し、コマンドに基づいて各種操作スイッチを押下することで、表示モードの変更をベースバンド部４０３に指示する。
【００４７】
ベースバンド部４０３は、この指示に基づいて表示制御部４０５を制御することで、表示部１０６の表示モードが使用者からの指示に応じて変更される。
【００４８】
以上のように、本実施形態によれば、携帯電話機４００の使用者の判断により表示部１０６の表示モードを切り換えることができ、第一実施形態と同様の効果が得られる。又、携帯電話機４００の電池残量が少ないとき等は、映像データであっても低解像度モードで表示させるように指示することで、省電力化を図ることもできる。
【００４９】
尚、上記に述べた第三実施形態及び第四実施形態の携帯電話機では、アンテナ１０１で受信したデータを表示する際の表示モードの変更についてのみ説明したが、携帯電話機内に記録されているデータ等を表示する際も同様である。
【００５０】
この場合は、表示させるデータの識別子を判別して表示モードを変更したり、表示させるデータのＡＰＬを判別して表示モードを変更したり、データを表示させるときに使用者の指示によって表示モードを変更したりすれば良い。
【００５１】
（第四実施形態）
以上ではデータを受信した場合の表示モード切り替えについて説明したが、本実施形態では、データを外部に送信する際の表示モード切り替えについて説明する。
図５は、本発明の第四実施形態に係る携帯電話機の内部構成を示すブロック図である。尚、図４と同様の構成には同一符号を付して説明を省略する。
同図に示したように、携帯電話機５００は、アンテナ１０１、無線送受信部１０２、ベースバンド部５０３、表示制御部４０５、表示部１０６、表示モード変更指示スイッチ４０７、映像信号処理ＩＣ５０８、カメラ５０９、及びメモリ５１０を備える。
【００５２】
カメラ５０９は、静止画や動画等を撮影し、撮影したデータを映像信号ＩＣ５０８に伝達する。映像信号処理ＩＣ５０８は、カメラ５０９で撮影された映像データの表示モードを高解像モードに設定してベースバンド部５０３に伝達する。メモリ５１０には、電子メール等を送信する際に作成された文字データが記録されている。
【００５３】
ベースバンド部５０３は、映像信号処理ＩＣ５０８から伝達される映像データやメモリ５１０から読み出した文字データを表示部１０６に表示させたり、変調又は符号化を行い無線送受信部１０２及びアンテナ１０１を介して送信側の携帯電話機に対して電子メールを送信したりする。又、ベースバンド部５０３は、第一実施形態〜第三実施形態で説明したベースバンド部と同様の機能も持つ。更に、ベースバンド部５０３は、メモリ５１０に記録されている文字データの表示モードを低解像度モードに設定する。
【００５４】
尚、表示モード変更指示スイッチ４０７からの指示があった場合は、その指示に基づいてカメラ５０９で撮影された映像データやメモリ５１０から読み出した文字データの表示モードを切り換える。又、ベースバンド部５０３は、送信する映像データや文字データがどのような表示モードに設定されているかを示す情報を電子メールのヘッダ等に格納しておく。
【００５５】
上記のように送信された電子メールを受信した携帯電話機は、第一実施形態〜第三実施形態で説明した流れで電子メールに添付される映像データや文字データを表示させる際の表示モードを変更しても良いし、送信側の携帯電話機で予め設定された表示モードに基づいて映像データや文字データを表示させても良い。
【００５６】
この為に、携帯電話機のベースバンド部１０３，３０３，４０３，５０３は、受信したデータの表示モードが送信側によって予め設定されているかどうかを判断し、その判断に基づいて表示モードの変更制御を行う。
【００５７】
以上のように、本実施形態によれば、データを送信する際に、データ受信側の携帯電話機における表示モードを予め設定しておくことで、受信側において表示モードの変更を行う必要がなくなる。又、受信側の状態（使用者の希望や電池残量）等に応じて、送信データの表示モードを任意に変更することで、送信側に配慮した電子メールの送信が可能となる。
【００５８】
尚、以上の４つの実施形態は、デュアルバンド対応の携帯電話機としたが、第一実施形態の携帯電話機１００以外はデュアルバンド対応でなくても構わない。又、第一実施形態〜第三実施形態で説明した構成を適程組み合わせて用いることも可能である。
【００５９】
【発明の効果】
本発明によれば、消費電力を増大することなく、様々なデータに適した画質の向上を図ることが可能な携帯端末を提供することができる。
【図面の簡単な説明】
【図１】本発明の第一実施形態に係る携帯電話機の内部構成を示すブロック図である。
【図２】本発明の第一実施形態に係る携帯電話機の表示部における水平又は垂直ビデオ信号のクロックタイミングを示す図である。
【図３】本発明の第二実施形態に係る携帯電話機の内部構成を示すブロック図である。
【図４】本発明の第三実施形態に係る携帯電話機の内部構成を示すブロック図である。
【図５】本発明の第四実施形態に係る携帯電話機の内部構成を示すブロック図である。
【符号の説明】
１００，３００，４００，５００　携帯電話機
１０１　アンテナ
１０２　無線送受信部
１０３，３０３，４０３，５０３　ベースバンド部
１０４　クロック周波数供給部
１０５，３０５，４０５　表示制御部
１０６　表示部
４０７　表示モード変更指示スイッチ
５０８　カメラ
５０９　映像信号処理ＩＣ
５１０　メモリ
【図１】
2004088489.tif 000003
【図２】
2004088489.tif 000004
【図３】
2004088489.tif 000005
【図４】
2004088489.tif 000006
【図５】
2004088489.tif 000007